(57)【要約】【課題】障害者の職を確保しつつ、羽毛を有効に活用できるようにする。【解決手段】中古羽毛製品受領段階１０では、中古羽毛製品が寄付者からの寄付に基づいて受領窓口において受領されるとともに、受領窓口から寄付者に対して記念品が与えられる。中古羽毛製品販売段階２０では、その中古羽毛製品が、再生工場を運営する再生工場運営者に対して販売される。公益団体送金段階３０では、その代金の一部が、福祉を目的とする公益団体に対して送金される。前処理段階４０では、その中古羽毛製品について障害者によって解体その他の前処理が行われ、中古羽毛が取り出される。本処理段階５０では、再生工場において、その中古羽毛について、洗浄その他の再生処理がされて、再利用可能な状態の再生羽毛が形成される。【選択図】図１
2014235627.tif 000002
【特許請求の範囲】
【請求項１】
中古羽毛製品が寄付者からの寄付に基づいて受領窓口において受領されるとともに、その受領窓口からその寄付者に対して記念品が与えられる中古羽毛製品受領段階と、
前記中古羽毛製品受領段階において前記受領窓口に受領された前記中古羽毛製品が、再生工場を運営する再生工場運営者に対して販売される中古羽毛製品販売段階と、
前記中古羽毛製品販売段階において前記再生工場運営者に対して前記中古羽毛製品が販売された際に当該再生工場運営者から前記受領窓口に対して支払われた代金の一部が、福祉を目的とする公益団体に対して送金される公益団体送金段階と、
前記中古羽毛製品について障害者によって解体その他の前処理が行われ、その中古羽毛製品から中古羽毛が取り出される前処理段階と、
前記再生工場において、その取り出された中古羽毛について、洗浄その他の再生処理がされて、再利用可能な状態の再生羽毛が形成される本処理段階と
を有する、中古羽毛活用システム。
【請求項２】
請求項１に記載の中古羽毛活用システムによって形成された、再生羽毛、又は、その再生羽毛を使用した羽毛製品。
【発明の詳細な説明】
【技術分野】
【０００１】
本発明は、中古羽毛を活用するシステム等に関するものである。
【背景技術】
【０００２】
水鳥等の羽毛は、比重が軽いとともに断熱効果が高いため、防寒等の用途に重宝されている。例えば、布団，コート・ジャケット等の衣類等に大きな需要がある。
【０００３】
一般的に、羽毛は、水鳥等が屠殺されてその肉が食用とされる際に、副産物として微量に生産されるのみである。例えば、１羽の家鴨から約１０グラムの羽毛しか取れず、１枚の布団を製造するための羽毛を入手するためには、１００〜１３０羽の家鴨等が必要とされる。
【０００４】
しかしながら、近年、世界的に鳥肉の消費量が減少傾向にあり、羽毛の生産量は減少傾向にある。
一方では、近年、新興国の経済成長に伴って、世界的に羽毛の需要が高まっている。
このため、現在は、世界的に羽毛が不足している状況である。
【０００５】
ところで、各家庭においては、不要となった羽毛布団等の羽毛製品が休眠している場合も多い。
ここで、羽毛は、１００年以上の耐用年数（いわゆる寿命）を有しているといわれている。
そこで、その中古の羽毛を回収し、再利用することが重要になってきている。
【０００６】
また、近年、日本においては、いわゆる産業の空洞化が大きな問題となっている。
すなわち、日本国内における人件費が外国と比較して高いことや、いわゆる円高（他国の通貨と比較して日本円が高い）のために、日本国内で生産された製品の国際競争力が低下しているという理由等から、工業製品を製造する拠点等が海外へ移転しているのである。
これによって、日本国内では多くの人の職が失われている。その中でも、特に、障害者等の弱者の職を確保することが困難となっている。
【０００７】
なお、本件に関連する内容を有する先行技術として、特許文献１に開示されているものがある。
【０００８】
また、本出願人は、上述の事情に鑑みて、障害者の職を確保しつつ羽毛を有効に活用するシステム等について、すでに発明し特許出願をしている（特願２０１１−２５３８９０）。なお、その特許出願は、本出願時点で未公開である。
【０００９】
そのシステムでは、障害者の職を確保しつつ羽毛を有効に活用することができる。しかしながら、さらに、そのことを促進することが求められている。
【先行技術文献】
【特許文献】
【００１０】
【特許文献１】特開２０１０−１３７８４号公報
【発明の概要】
【発明が解決しようとする課題】
【００１１】
本発明は、より効率的に、障害者の職を確保しつつ、羽毛を有効に活用することができるシステム等を提供することを課題とする。
【課題を解決するための手段】
【００１２】
請求項１に係る発明は、中古羽毛製品が寄付者からの寄付に基づいて受領窓口において受領されるとともに、その受領窓口からその寄付者に対して記念品が与えられる中古羽毛製品受領段階と、前記中古羽毛製品受領段階において前記受領窓口に受領された前記中古羽毛製品が、再生工場を運営する再生工場運営者に対して販売される中古羽毛製品販売段階と、前記中古羽毛製品販売段階において前記再生工場運営者に対して前記中古羽毛製品が販売された際に当該再生工場運営者から前記受領窓口に対して支払われた代金の一部が、福祉を目的とする公益団体に対して送金される公益団体送金段階と、前記中古羽毛製品について障害者によって解体その他の前処理が行われ、その中古羽毛製品から中古羽毛が取り出される前処理段階と、前記再生工場において、その取り出された中古羽毛について、洗浄その他の再生処理がされて、再利用可能な状態の再生羽毛が形成される本処理段階とを有する、中古羽毛活用システムである。
【００１３】
「中古羽毛製品が寄付者からの寄付に基づいて受領窓口において受領される…」には、寄付者が直接的に受領窓口に中古羽毛製品を持ち込んで寄付する場合に限らず、寄付者が寄付した中古羽毛製品が間接的に受領窓口に持ち込まれる場合も含まれる。
「受領窓口」としては、各地区の社会福祉協議会，その他の公益団体，市町村等の地方公共団体，一般の企業，生活協同組合等がある。
また、「福祉を目的とする公益団体」としては、例えば、「赤い羽根共同募金」を運営する「中央共同募金会」等がある。
【００１４】
この発明の中古羽毛活用システムでは、まず、中古羽毛製品受領段階において、中古羽毛製品が、寄付者からの寄付に基づいて受領窓口において受領される。それとともに、その寄付者に対して、受領窓口から、記念品が与えられる。「記念品」とは、一般的に「景品」である。
次に、上述のようにして中古羽毛製品受領段階において受領窓口に受領された中古羽毛製品が、再生工場を運営する再生工場運営者に対して販売される。すなわち、その中古羽毛製品が再生工場運営者に対して引き渡されるとともに、その代金が、再生工場運営者から受領窓口に支払われる。
そして、その代金の一部が、公益団体送金段階において、受領窓口から、福祉を目的とする公益団体に対して送金される。
一方、前述したように再生工場運営者が購入した中古羽毛製品については、前処理段階において、障害者によって解体その他の前処理が行われ、その中古羽毛製品から中古羽毛が取り出される。すなわち、本来的な再生処理を行う前の予備的な処理が行われて、その中古羽毛製品から中古羽毛が取り出される。この前処理については、再生工場において行われる（障害者が再生工場に出向いて前処理を行う）場合や、障害者施設等、他の場所において行われる場合がある。
次に、本処理段階において、前処理段階において取り出された中古羽毛について、再生工場において洗浄その他の再生処理がされて、再利用可能な状態の再生羽毛が形成される。
そして、さらには、その再生羽毛を用いて羽毛製品が製造されることとなる。
【００１５】
このように、この発明の中古羽毛活用システムでは、中古羽毛製品が回収されて再生されるために、羽毛の需要に効率的に対応することができる。
また、その際に、障害者によって前処理段階が実行されるために、その分、障害者の職が確保されることとなる。
また、中古羽毛製品が寄付に基づいて再生工場に対して送られ、それが障害者の職にもつながるということによって、中古羽毛製品を寄付する人は、社会貢献をしているという満足感が得られる。
【００１６】
また、この発明の中古羽毛活用システムでは、中古羽毛製品受領段階において、中古羽毛製品の寄付者に対して受領窓口から記念品が与えられるため、中古羽毛を所有している人が、より積極的に中古羽毛製品を寄付することが期待され、中古羽毛製品が回収され再生されることが促進される。
【００１７】
また、この発明の中古羽毛活用システムでは、再生工場運営者が中古羽毛製品を購入した際の代金の一部が、公益団体送金段階において、福祉を目的とする公益団体に対して送金され、その資金が福祉の目的に使用されることが期待される。
このようにして再生工場運営者が中古羽毛製品が購入することに基づいて福祉の増進が図られることが理解されることによって、中古羽毛を所有している人が、より積極的に中古羽毛製品を寄付することが期待され、中古羽毛製品が回収され再生されることが促進される。
【００１８】
以上のようにして、この発明の中古羽毛活用システムでは、より効率的に、障害者の職を確保しつつ、羽毛を有効に活用することができる。
【００１９】
請求項２に係る発明は、請求項１に係る発明の中古羽毛活用システムによって形成された、再生羽毛、又は、その再生羽毛を使用した羽毛製品である。
【００２０】
この発明の再生羽毛、又は、その再生羽毛を使用した羽毛製品では、当該再生羽毛が形成される過程において、請求項１に係る発明の中古羽毛活用システムにおける作用効果が得られる。
【図面の簡単な説明】
【００２１】
【図１】本発明の一実施例の中古羽毛活用システムについて概略的に示すブロック図である。
【発明を実施するための形態】
【００２２】
次に、本発明の一実施例について、図１に基づいて説明する。
この中古羽毛活用システムは、中古羽毛製品受領段階１０，中古羽毛製品販売段階２０，公益団体送金段階３０，前処理段階４０，本処理段階５０を有している。
【００２３】
中古羽毛製品受領段階１０においては、受領窓口において、一般の人（寄付者）からの寄付に基づいて中古羽毛製品が受領窓口に持ち込まれ、その受領窓口（その運営者）において、その中古羽毛製品が受領される。
「受領窓口」としては、例えば、各地区の社会福祉協議会・福祉財団・公益財団・ＮＰＯ法人等の公益団体，市町村等の地方公共団体，一般の企業（その労働団体を含む），生活協同組合等がある。すなわち、それらにおいて、中古羽毛製品の寄付を受け付けるコーナーが設けられる。そして、そのコーナーに、一般の人が、自分の家庭において休眠している羽毛製品（すなわち、中古羽毛製品）を持ち込み、受領される。地方公共団体の場合は、その地方公共団体に在住又は通勤している人等である。企業の場合は、その企業に在籍している人等である。生活協同組合の場合は、その会員等である。生活協同組合等であって、羽毛製品の販売も行っている事業所に中古羽毛製品を持ち込む場合は、羽毛製品の買い換えが行われる場合もある。
「受領窓口」としては、その他に、幼稚園・小学校・中学校・高校・養護学校等の特別支援学校及びそれらのＰＴＡ組織，各地区の自治会・子供会等の地域団体，宗教団体，種々の介護施設，クリーニング店・ハウスクリーニング業者，寝装品や被服（羽毛製品）のメーカー，デパート・量販店その他の小売店，金融機関，宅配業者，自動車販売会社等がある。
「羽毛製品」としては、羽毛を用いた布団，コート・ジャケット等の衣類等がある。羽毛製品は、羽毛が表布材に覆われて形成されている。
【００２４】
上述のように寄付に基づいて中古羽毛製品が受領窓口において受領されるのに併せて、その寄付をした人（寄付者）には、受領窓口（その運営者）から記念品が与えられる。「記念品」は、一般的に「景品」であり、種々のものが考えられるが、例えば「缶バッジ」等がある。
【００２５】
なお、上述のように受領窓口において中古羽毛製品が受領され、寄付者には記念品が与えられること（さらには、後述のように中古羽毛製品が再生処理されること）が周知されるように、各所におけるポスターの貼付等の周知活動が、障害者によって行われる。
【００２６】
次に、中古羽毛製品販売段階２０として、上述のようにして中古羽毛製品受領段階１０において受領窓口に受領された中古羽毛製品が、受領窓口（その運営者）から、再生工場を運営する再生工場運営者に対して販売される。
すなわち、その中古羽毛製品が、受領窓口から再生工場運営者に対して引き渡されるとともに、その代金が、再生工場運営者から受領窓口（その運営者）に対して支払われる。
【００２７】
そして、その代金の一部は、公益団体送金段階３０において、受領窓口（その運営者）から、福祉を目的とする公益団体に対して送金される。
「福祉を目的とする公益団体」としては、例えば、「赤い羽根共同募金」を運営する「中央共同募金会」「都道府県共同募金会」「市町村共同募金会」の他、日本赤十字社，日本ユニセフ協会，被災地支援を行う団体等がある。
【００２８】
次に、前処理段階４０として、再生工場において、その中古羽毛製品について前処理が行われる。
すなわち、前処理段階４０においては、その寄付された中古羽毛製品について、障害者によって、本来的な再生処理を行う前の予備的な処理が行われる。主として、再生工場の近くにある障害者施設の障害者によって行われる。
このように障害者によって前処理が行われることに対して、その障害者又はその障害者が所属する障害者施設に賃金が支払われる。
【００２９】
次に、本処理段階５０として、その中古羽毛について本処理が行われる。
すなわち、本処理段階５０においては、上述のように前処理された中古羽毛について、再生工場において、本処理（再生処理）が行われる。すなわち、除塵，洗浄，乾燥，殺菌等が行われる。こうして、中古羽毛が再生されて、再利用可能な状態の再生羽毛が形成される。
こうして、その再生羽毛が市場に供給される。その後に、その再生羽毛を用いて羽毛製品が製造される。
【００３０】
なお、再生工場から再生羽毛が直接的に羽毛製品工場に送られて、その羽毛製品工場において羽毛製品が製造され、その後に市場に供給されてもよい。
【００３１】
以上のように、この中古羽毛活用システムによれば、中古羽毛製品が回収されて再生されるために、羽毛の需要に効率的に対応することができる。
また、その際に、障害者によって前処理段階４０が実行されるために、その分、障害者の職が確保され、日本国内の産業の空洞化を多少なりとも防止することができる。
また、一般の人は、障害者の職につながる寄付を行うことによって、社会貢献をしているという満足感が得られる。
また、この中古羽毛活用システムでは、受領窓口（その運営者）から再生工場運営者に対して中古羽毛製品が販売される際に、受領窓口（その運営者）も収益を得ることができ、この中古羽毛活用システムの活用が促進されることとなる。
【００３２】
また、この発明の中古羽毛活用システムでは、中古羽毛製品受領段階１０において、中古羽毛製品の寄付者に対して受領窓口から記念品が与えられる。
このため、中古羽毛を所有している人は、中古羽毛製品を寄付しようとする気持ちが高まり、中古羽毛製品が回収され再生されることが促進されることとなる。
【００３３】
また、この発明の中古羽毛活用システムでは、再生工場運営者が中古羽毛製品を購入した際の代金の一部が、公益団体送金段階３０において、福祉を目的とする公益団体に対して送金される。そして、その資金については、福祉の目的に使用されることが期待される。
このようにして、再生工場運営者が中古羽毛製品を購入することに基づいて、福祉の増進が図られる。
このため、このことが理解されることによっても、中古羽毛を所有している人は、中古羽毛製品を寄付しようとする気持ちが高まり、中古羽毛製品が回収され再生されることが促進されることとなる。
【００３４】
なお、上記のものはあくまで本発明の一実施例にすぎず、当業者の知識に基づき種々の変更を加えた態様で本発明を実施できることはもちろんである。
【００３５】
例えば、中古羽毛製品の前処理は、必ずしも再生工場で行われる必要はない。障害者施設等で行われてもよい。
【符号の説明】
【００３６】
１０  中古羽毛製品受領段階
２０  中古羽毛製品販売段階
３０  公益団体送金段階
４０  前処理段階
５０  本処理段階
【図１】
2014235627.tif 000003